【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
光ビームを出射する光源と、前記光源から出射されたビームを受けて０次及び１次以上からなる複数の回折ビームを生成する回折手段と、前記回折手段からの複数のビームを受けて光記憶媒体上に集光する集光手段と、前記光記憶媒体で反射された複数のビームを受けてビームを分岐するビーム分岐手段と、前記ビーム分岐手段で分岐されたビームを受け、その受けた光量に応じた信号を出力する光検出手段とを含んでおり、前記回折手段で生成される０次回折光をメインビームとし、前記回折手段で生成される１次以上の２つの回折光を第１のサブビームと第２のサブビームとし、前記光検出手段は複数の受光部を有し、前記メインビームと前記第１のサブビームと前記第２のサブビームはそれぞれ複数の受光部で受光される光ピックアップヘッド装置と、所望のトラックにビームを照射させる制御を行うための信号であるトラッキング誤差信号を生成するトラッキング誤差信号生成手段とを具備し、前記光記憶媒体は、概略一定の周期で並んだトラックを有しており、前記周期の平均が周期ｔｐであり、前記メインビームがトラック上に位置するとき、前記第１のサブビームと前記第２のサブビームはそれぞれトラック間に位置し、前記トラッキング誤差信号生成手段は、前記メインビームを受光する受光部から出力される信号を差動演算して第１のプッシュプル信号を生成し、前記第１のサブビームと前記第２のサブビームを受光する受光部から出力される信号を差動演算して第２のプッシュプル信号を生成し、前記第１のプッシュプル信号を生成するために用いられる受光部が、前記メインビームにおいて前記光記憶媒体で単に反射される０次回折光とピッチｔｐで形成されたトラックにより回折される１次回折光とが重ならない領域である前記メインビームの中央領域を受光しないようにすることで、前記第１のプッシュプル信号は、前記メインビームの中央領域を除いた領域を用いて生成され、前記第２のプッシュプル信号を生成するために用いられる受光部が、前記第１のサブビームと前記第２のサブビームのそれぞれにおいて前記光記憶媒体で単に反射される０次回折光とピッチｔｐで形成されたトラックにより回折される１次回折光とが重ならない領域である前記第１のサブビームの中央領域と前記第２のサブビームの中央領域とを受光しないようにすることで、前記第２のプッシュプル信号は、前記第１のサブビームの中央領域と前記第２のサブビームの中央領域を除いた領域を用いて生成され、前記第１のプッシュプル信号と前記第２のプッシュプル信号を差動演算することにより前記トラッキング誤差信号を生成する光情報装置。
【請求項２】
前記複数の受光部が各々部分的にビームを受光することで、前記ビームを分割する、請求項１に記載の光情報装置。
【請求項３】
前記光記憶媒体から前記光検出手段に至る光路中にビーム分割手段を設けることによって前記ビームを分割する、請求項１に記載の光情報装置。
【請求項４】
前記光記憶媒体に集光されるビームが有する球面収差量を示す球面収差誤差信号を生成する球面収差誤差信号生成手段をさらに具備し、前記球面収差誤差信号生成手段は、前記メインビームの中央付近における領域を受光する複数の受光部から出力される信号を差動演算して第１のフォーカス誤差信号を生成し、前記メインビームの外側付近における領域を受光する複数の受光部から出力される信号を差動演算して第２のフォーカス誤差信号を生成し、前記第１のフォーカス誤差信号と前記第２のフォーカス誤差信号とを差動演算して前記球面収差誤差信号を得る、請求項１に記載の光情報装置。
【請求項５】
光ビームを出射する光源と、前記光源から出射されたビームを受けて０次及び１次以上からなる複数の回折ビームを生成する回折手段と、前記回折手段からの複数のビームを受けて光記憶媒体上に集光する集光手段と、前記光記憶媒体で反射された複数のビームを受けてビームを分岐するビーム分岐手段と、前記ビーム分岐手段で分岐されたビームを受け、その受けた光量に応じた信号を出力する光検出手段とを含んでおり、前記回折手段で生成される０次回折光をメインビームとし、前記回折手段で生成される１次以上の２つの回折光を第１のサブビームと第２のサブビームとし、前記光検出手段は複数の受光部を有し、前記メインビームと前記第１のサブビームと前記第２のサブビームはそれぞれ複数の受光部で受光される光ピックアップヘッド装置と、所望のトラックにビームを照射させる制御を行うための信号であるトラッキング誤差信号を生成するトラッキング誤差信号生成手段とを具備し、前記光記憶媒体は、概略一定の周期で並んだトラックを有しており、前記周期の平均が周期ｔｐであり、前記メインビームがトラック上に位置するとき、前記第１のサブビームと前記第２のサブビームはそれぞれトラック間に位置し、前記トラッキング誤差信号生成手段は、前記メインビームを受光する受光部から出力される信号を差動演算して第１のプッシュプル信号を生成し、前記第１のサブビームと前記第２のサブビームを受光する受光部から出力される信号を差動演算して第２のプッシュプル信号を生成し、前記第１のプッシュプル信号は、前記メインビームにおいて前記光記憶媒体で単に反射される０次回折光とピッチｔｐで形成されたトラックにより回折される１次回折光とが重ならない領域である前記メインビームの中央領域に対して通常のプッシュプル信号を得る際の演算とは異なる極性もしくは増幅係数ｋが用いられて生成され、前記第２のプッシュプル信号は、前記第１のサブビームと前記第２のサブビームのそれぞれにおいて前記光記憶媒体で単に反射される０次回折光とピッチｔｐで形成されたトラックにより回折される１次回折光とが重ならない領域である前記第１のサブビームの中央領域と前記第２のサブビームの中央領域に対して通常のプッシュプル信号を得る際の演算とは異なる極性もしくは増幅係数ｋが用いられて生成され、前記第１のプッシュプル信号と前記第２のプッシュプル信号を差動演算することにより前記トラッキング誤差信号を生成する光情報装置。
【請求項６】
前記光記憶媒体に集光されるビームが有する球面収差量を示す球面収差誤差信号を生成する球面収差誤差信号生成手段をさらに具備し、前記球面収差誤差信号生成手段は、前記メインビームの中央付近における領域を受光する複数の受光部から出力される信号を差動演算して第１のフォーカス誤差信号を生成し、前記メインビームの外側付近における領域を受光する複数の受光部から出力される信号を差動演算して第２のフォーカス誤差信号を生成し、前記第１のフォーカス誤差信号と前記第２のフォーカス誤差信号とを差動演算して前記球面収差誤差信号を得る、請求項５に記載の光情報装置。
【請求項７】
前記光記憶媒体のトラックと直交する方向に前記光ビームを走査したときに周期ｔｐで得られるプッシュプル信号の振幅が前記周期ｔｐとは異なる周期で変化するときの前記振幅の変化量が最小となるように、前記増幅係数ｋを設定する、請求項５に記載の光情報装置。
【請求項８】
前記光記憶媒体のトラックと直交する方向に前記光ビームを走査したときに周期ｔｐで得られるプッシュプル信号が実質的にゼロクロス点となる光ビームの位置が、前記トラックの中央に近づくように、前記増幅係数ｋを設定する、請求項５に記載の光情報装置。
【請求項９】
前記光記憶媒体のトラックと直交する方向に前記光ビームを走査したときに周期ｔｐで得られるプッシュプル信号の振幅が周期ｔｐとは異なる周期で変化するときの変化量が最小となる前記増幅係数ｋの値をｋ１とし、前記光記憶媒体のトラックと直交する方向に光ビームを走査したときに周期ｔｐで得られるプッシュプル信号が実質的にゼロクロス点となるときの光ビームの位置が、前記トラックの中央に最も近づくときの前記増幅係数ｋの値をｋ２としたとき、前記増幅係数ｋが前記ｋ１と前記ｋ２との間の値に設定される、請求項５に記載の光情報装置。
【請求項１０】
光ビームを出射する光源と、前記光源から出射されたビームを受けて０次及び１次以上からなる複数の回折ビームを生成する回折手段と、前記回折手段からの複数のビームを受けて光記憶媒体上に集光する集光手段と、前記光記憶媒体で反射された複数のビームを受けてビームを分岐するビーム分岐手段と、前記ビーム分岐手段で分岐されたビームを受け、その受けた光量に応じた信号を出力する光検出手段とを含んでおり、前記回折手段で生成される０次回折光をメインビームとし、前記回折手段で生成される１次以上の２つの回折光を第１のサブビームと第２のサブビームとし、前記光検出手段は複数の受光部を有し、前記メインビームと前記第１のサブビームと前記第２のサブビームはそれぞれ複数の受光部で受光される光ピックアップヘッド装置と、所望のトラックにビームを照射させる制御を行うための信号であるトラッキング誤差信号を生成するトラッキング誤差信号生成手段とを具備し、前記光記憶媒体は、概略一定の周期で並んだトラックを有しており、前記周期の平均が周期ｔｐであり、前記メインビームをトラックと直交する方向に走査したときに前記メインビームが照射されるトラックを、Ｔｎ−２、Ｔｎ−１、Ｔｎ、Ｔｎ＋１、Ｔｎ＋２とし、前記メインビームがトラックＴｎの中央に位置するとき、前記第１のサブビームがトラックＴｎ−２とトラックＴｎ−１との間に位置し、前記第２のサブビームがトラックＴｎ＋１とトラックＴｎ＋２との間に位置し、前記トラッキング誤差信号生成手段は、前記メインビームを受光する受光部から出力される信号を差動演算して第１のプッシュプル信号を生成し、前記第１のサブビームと前記第２のサブビームを受光する受光部から出力される信号を差動演算して第２のプッシュプル信号を生成し、前記光記憶媒体のトラックと直交する方向に前記光ビームを走査したときに周期ｔｐで得られる前記第１のプッシュプル信号の振幅が、情報の記録されていないトラックと情報の記録されたトラックが隣接したことによって、もしくは前記光記憶媒体に形成されたトラックの周期が部分的に周期ｔｐとは異なることによって、周期ｔｐとは異なる周期で変動し、前記第１のプッシュプル信号と前記第２のプッシュプル信号を差動演算することにより前記トラッキング誤差信号を生成し、前記第１のプッシュプル信号の振幅の変動よりも前記トラッキング誤差信号の振幅の変動を低減することを特徴とする光情報再生方法。
【請求項１１】
光ビームを出射する光源と、前記光源から出射されたビームを受けて０次及び１次以上からなる複数の回折ビームを生成する回折手段と、前記回折手段からの複数のビームを受けて光記憶媒体上に集光する集光手段と、前記光記憶媒体で反射された複数のビームを受けてビームを分岐するビーム分岐手段と、前記ビーム分岐手段で分岐された複数のビームを受け、その受けた光量に応じた信号を出力する光検出手段とを有する光ピックアップヘッド装置と、所望のトラックにビームを照射させる制御を行うための信号であるトラッキング誤差信号を生成するトラッキング誤差信号生成手段とを用いた光情報再生方法であって、前記光検出手段は複数の受光部を有し、前記複数のビームは、トラックと直交する方向に沿った異なる位置を照射し、前記トラッキング誤差信号生成手段は、前記受光部から出力される信号を差動演算してプッシュプル信号を生成し、前記光記憶媒体は、概略一定の周期で並んだトラックを有しており、前記周期の平均が周期ｔｐであり、前記光記憶媒体のトラックと直交する方向に沿って前記光ビームを走査したときに周期ｔｐで得られる前記プッシュプル信号の振幅が、情報の記録されていないトラックと情報の記録されたトラックが隣接したことによって、もしくは前記光記憶媒体に形成されたトラックの周期が部分的に周期ｔｐとは異なることによって、周期ｔｐとは異なる周期で変動するとき、前記複数のビームにおける前記光記憶媒体で単に反射される０次回折光とピッチｔｐで形成されたトラックにより回折される１次回折光とが重ならない領域であるビームの中央領域を用いずに、もしくは前記中央領域に対して通常のプッシュプル信号を得る際の演算とは異なる極性もしくは増幅係数を用いて前記プッシュプル信号を生成することにより前記プッシュプル信号の振幅の変動を低減することを特徴とする光情報再生方法。
【請求項１２】
前記光記憶媒体のトラックと直交する方向に沿って前記光ビームを走査したときに周期ｔｐで得られるプッシュプル信号の振幅が周期ｔｐとは異なる周期で変化するように、予め未記録のトラックと記録済みのトラックとを前記光記憶媒体に形成している、請求項１１に記載の光情報再生方法。
【請求項１３】
前記記録済みのトラックと前記未記録のトラックとを交互に配置している、請求項１２に記載の光情報再生方法。